(57)【要約】【課題】            フィルター本体の製造、パーツフィルターの交換作業を容易とし、かつ製造コスト、交換コストの低減を目的とする。【解決手段】        枠体と該枠体間を被着した網状部と充填材とからなるパーツフィルターと、少なくとも１組のパーツフィルターを収容した空気用フィルターにおいて、２枚１組のパーツフィルターが上流側で接触し、下流側が非接触となるように設置され、短辺方向の両端部を傾斜させ短辺方向の中央部に頂部に爪状部を有する長方形状抑止部材が、装着時に、爪状部が下流側に向かって下向きに傾斜したパーツフィルターの接触側の枠体に係止され、かつ両端部の傾斜部基点がそれぞれ上向き傾斜、下向き傾斜のパーツフィルターの外側角部と接触するように構成されていることを特徴とする空気用フィルター。【選択図】        図３
2011235239.tif 000002
【特許請求の範囲】
【請求項１】
枠体と該枠体間を被着した網状部と充填材とからなるパーツフィルターと、該パーツフィルターが少なくとも１組を収容する空気用フィルターにおいて、２枚１組のパーツフィルターが上流側で接触し、下流側が非接触となるように設置され、短辺方向の両端部を傾斜させ短辺方向の中央部に頂部に爪状部を有する長方形状抑止部材が、装着時に、爪状部が下流側に向かって下向きに傾斜したパーツフィルターの上流側の枠体に係止され、かつ両端部の傾斜部基点がそれぞれ上向き傾斜、下向き傾斜のパーツフィルターの外側角部と接触するように構成されていることを特徴とする空気用フィルター。
【請求項２】
２枚１組のパーツフィルターを複数組設置し、下流側へ向かって下向きに傾斜したパーツフィルターが、該パーツフィルターの下側に設置された１組のパーツフィルターの下流側へ向かって上向きに傾斜したパーツフィルターと下流側で接触していることを特徴とする請求項１記載の空気用フィルター。
【請求項３】
長方形抑止部材の傾斜部基点間の長さが２枚１組としたパーツフィルターの厚さよりもやや短いことを特徴とする請求項１記載の空気用フィルター。
【請求項４】
長方形抑止部材の両端部の傾斜角度が、９０°よりやや大きいことを特徴とする請求項１記載の空気用フィルター。
【請求項５】
長方形抑止部材の底辺部が、係止部材側へ向かってやや凸面となっていることを特徴とする請求項１記載の空気用フィルター。
【発明の詳細な説明】
【技術分野】
【０００１】
本発明は、パーツフィルターの着脱容易な空気用フィルターに関する。さらにくわしくは、空気用フィルターに使用される消耗品型パーツフィルターの着脱容易な空気用フィルターに関する。
【背景技術】
【０００２】
本発明において、パーツフィルターとは、空気用フィルターに装着される枠体と該枠体に充填された活性炭等の充填材と該枠体以外の部分に設けられた空気等の気体流通が可能であり、かつ充填材を枠体内部に収容可能とする金網等からなるものを意味する。
【０００３】
従来使用されてきた空気用フィルターを図５〜図８に基づいて説明する。図５に示すような、断面コの字型の枠体１２に周辺を囲まれ、表面部と裏面部とを金網等に覆われたパーツフィルター８が使用されてきた。図中記号１３はパーツフィルターへの充填材注排出用に使用される取り外し自在もしくは開閉自在に設けられた蓋を意味する。この蓋は図においては、パーツフィルターの長辺側に設けられているが、パーツフィルターの使用状況により長辺側、短辺側のいずれの側に設けてもよいものである。このパーツフィルター８は図５に示すように、空気送入側である上流側と空気送出側である下流側との間に上流側から見て上向きに傾斜させたパーツフィルターと下向きに傾斜させたパーツフィルターとを上流側で接触させるようにしたパーツフィルターが使用されてきた。このパーツフィルターは、フィルター本体の両側板１０にそれぞれ所定傾斜角を有するように設けられたパーツフィルターの案内レール（図示せず）に沿って挿入され設置される。下流側はパーツフィルターの接触部及び天板１４側のパーツフィルターが天板１４に、及び底板１５側のパーツフィルターが底板１５に接触する部分とを両側板に担持された位置設定部材１１によって保持される。パーツフィルター８の上流側は、パーツフィルター２枚の接触部を、短冊形状のフィルター位置固定部材１６により、パーツフィルターの摺動がないように押え、位置固定部材１６を位置固定部材１６の両側板部側のフィルター本体外側方向から支える短冊状型支持部材１７により支持し、この支持部材をそれぞれ両側板から突出して固着された支持部材固定用部材１８、例えばブラケットにネジ止めして固定される。例えばパーツフィルターを８枚収容する空気用フィルターの場合には、４枚の位置固定部材と、４枚の短冊状支持部材１６と２ケ所乃至４ケ所のネジ止め固定部が必要となる。
【発明の概要】
【発明が解決しようとする課題】
【０００４】
このような従来の空気用フィルターでは、フィルターとしての組み立て時、消耗品である充填材を含むパーツフィルターの交換時におけるネジ止めの開放、空気用フィルター作成時における支持部材固定用部材の作成、固着等の作業が必要であり、手間がかかるという問題があった。
【０００５】
本発明は、上記のような問題を解決し、フィルター本体の製造、パーツフィルターの交換作業を容易とし、製造コスト、交換コストの低減を目的とする。
【課題を解決するための手段】
【０００６】
本発明は、枠体と該枠体に固着されかつ該枠体間を被覆した網状部と充填材とからなるパーツフィルターと、少なくとも１組のパーツフィルターを収容する空気用フィルターにおいて、２枚１組のパーツフィルターが上流側で接触し、下流側が非接触となるように設置され、短辺方向の両端部を傾斜させ短辺方向の中央部に頂部に爪状部を有する長方形状抑止部材が、装着時に、爪状部が下流側に向かって下向きに傾斜したパーツフィルターの上流側の枠体に係止され、かつ両端部の傾斜部基点がそれぞれ上向き傾斜、下向き傾斜のパーツフィルターの外側角部と接触するように構成されていることを特徴とする空気用フィルターを提供する。
【０００７】
本発明はさらに、２枚１組のパーツフィルターを複数組設置し、下流側へ向かって下向きに傾斜したパーツフィルターが、該パーツフィルターの下側に設置された１組のパーツフィルターの下流側へ向かって上向きに傾斜したパーツフィルターと下流側で接触していることを特徴とする上記の空気用フィルターを提供する。
【０００８】
本発明は、長方形抑止部材の傾斜部基点間の長さが２枚１組としたパーツフィルターの厚さよりもやや短いことを特徴とする上記空気用フィルターを提供する。
【０００９】
本発明は長方形抑止部材の両端部の傾斜角度が、９０°よりやや大きいことを特徴とする空気用フィルターを提供する。
【発明の効果】
【００１０】
本発明によれば、空気用フィルターの製造を簡便化し、かつパーツフィルターの着脱が容易であり、作業を簡便化させ、製造コストを低減できるという利点が得られる。
【図面の簡単な説明】
【００１１】
【図１】本発明の長方形状抑止部材の平面図を示す。
【図２】本発明の長方形状抑止部材のAA'線断面図を示す。
【図３】本発明のフィルター本体の断面図を示す。
【図４】本発明の長方形状抑止部材の装着状態を示す説明図である。
【図５】パーツフィルターの説明図を示す。
【図６】従来の空気用フィルターの断面図を示す。
【図７】従来の空気用フィルターの背面図を示す。
【図８】従来の空気用フィルターの正面図を示す。
【発明を実施するための形態】
【００１２】
以下本発明を図１〜図４に基づいて説明する。図１は本発明の長方形状抑止部材２の平面図を、図２は長方形状抑止部材２のA,A'線断面図を示す。長方形状抑止部材２はその短辺方向中央部に頂部に爪状部３を有する係止部材４を溶接等により固着させている。この長方形状抑止部材２は、短辺方向の両端部に傾斜部基点５に始まる傾斜部６が設けられている。傾斜部基点５間の底辺部７は係止部材４方向を突部とするようにややそり返った形状としておくことが好ましい。パーツフィルターの上流側端部に装着された長方形状抑止部材２を取り外すときに、好都合なためである。
【００１３】
図３はフィルター本体の断面図を示す。パーツフィルター８は案内レール９に沿ってフィルター本体に挿入される。下流側はフィルター本体の側板にそれぞれ担持された下流側の位置設定部材１１によりパーツフィルター８の位置は決定される。矢印で示す上流側は下流側へ向かって上向きのパーツフィルター８と下向きのパーツフィルター８の上流側端部が側面で接触している。この２枚１組の端部に長方形状抑止部材２を装着し、該抑止部材２の短辺方向中央部から突出するように固着させた係止部材４の爪状部３を、下流側に向かって下向きに傾斜したパーツフィルター８の枠体１２に係止させる。下向き方向に傾斜したパーツフィルターに長方形状抑止部材２を係止させることにより、該抑止部材２には下向きの力が働き、下側に向かって上向きに傾斜したパーツフィルター８にも該抑止部材２を通じて下向きの力が働き、これにより、２枚１組のパーツフィルターの位置は固定される。
【００１４】
図４は、長方形状抑止部材２をパーツフィルターの上流側に装着するときの状態を示した一部拡大図である。該抑止部材２の図上下側の傾斜部を下流側下向きのパーツフィルターの枠体１２にあてがい、矢印方向に押し込むことにより、爪状部３は枠体１２に係止されることとなる。取り外すときは、図上上側の傾斜部を図上上側の傾斜部先端を矢印と反対方向に引っ張ることにより、容易に取り外すことができる。この際、抑止部材２の底辺部７を係止部材４側に向かってやや凸面となるようにややそり返った形にしておくことにより、取り外しの際の力が軽減される等の利便性が向上する。
【符号の説明】
【００１５】
１：フィルター本体        １１：下流側の位置設定部材
２：長方形状抑止部材      １２：枠体
３：爪状部                １３：充填材注排出用蓋
４：係止部材              １４：フィルター本体の天板
５：傾斜部基点            １５：フィルター本体の底板
６：傾斜部                １６；上流側の位置固定部材
７：底辺部                １７：短冊状型支持部材
８：パーツフィルター      １８：支持部材固定用部材
９：案内レール            １９：網状部
１０：フィルター本体側板
【図１】
2011235239.tif 000003
【図２】
2011235239.tif 000004
【図３】
2011235239.tif 000005
【図４】
2011235239.tif 000006
【図５】
2011235239.tif 000007
【図６】
2011235239.tif 000008
【図７】
2011235239.tif 000009
【図８】
2011235239.tif 000010